(57)【特許請求の範囲】
【請求項１】
バー状からなり、上側にそれぞれ取っ手が備えられ、互いにヒンジ結合された第１のロッド及び第２のロッドと、
前記第１のロッドの下側に位置して後方部位が閉塞され、下側に行くほど内側に傾斜した第１の側板と、
前記第２のロッドの下側に位置して後方部位が閉塞され、下側に行くほど内側に傾斜してその後方部位と下端部位が前記第１の側板の後方部位と下端部位が対向する第２の側板と、からなり、
前記第１の側板と第２の側板の前方部位は、開放されるように構成されたことを特徴とする、苗移植機。
【請求項２】
前記第１のロッドと第２のロッドとの間には、スプリングが備えられたことを特徴とする、請求項１に記載の苗移植機。
【請求項３】
前記第１のロッドと第２のロッドは、その高低が異なるように構成されたことを特徴とする、請求項１に記載の苗移植機。
【請求項４】
バー状からなり、上側にそれぞれ固定取っ手と移動取っ手が備えられたロッドと、
前記ロッドの下側に位置して後方部位が閉塞され、下側に行くほど内側に傾斜した第１の側板と、
前記第１の側板とヒンジにより結合され、後方部位が閉塞され、下側に行くほど内側に傾斜してその後方部位と下端部位が前記第１の側板の下端部位と 接する第２の側板と、
前記第２の側板と、前記移動取っ手を連結して移動取っ手の作動時に前記第２の側板を外側に回転させるワイヤと、からなり、
前記第１の側板と第２の側板の前方部位は、開放されるように構成されたことを特徴とする、苗移植機。
【請求項５】
前記第１の側板と第２の側板の間には、スプリングが備えられたことを特徴とする、請求項１に記載の苗移植機。
【発明の詳細な説明】
【技術分野】
【０００１】
本発明は、農作物の苗を植栽することができる苗移植機に関し、片手を用いて容易に農作物の苗を耕作地に植栽できるようにするとともに、まっすぐに直立できるようにして、適切な苗の植栽が行われるようにした苗移植機に関する。
【背景技術】
【０００２】
通常、各種の作物の栽培時に植木鉢などに播種して一定のサイズに成長させて苗に育てた後、それを耕作地に移して植栽するようになるが、大規模な耕作を行う農家では、機械的動力を用いて大規模な農作物の植栽が可能になるが、このような機械的動力装置の価格が非常に高価なので、小規模の農家では、殆どが草取り鎌や 草取り鎌 草取り鎌 草取り鎌シャベルを用いて植栽するようになる。
【０００３】
しかし、草取り鎌やシャベルを用いた植栽作業は、作業者の疲労度が非常に高いので、登録実用新案第２０-０２７５２９６号では、図１に示すように、半球状に端部が尖がって容易に土砂６を掘ることができるように構成され、上端部は、半球状であり、両側にボルト挿入口４が備えられており、シャベル刃部１とシャベル刃部１' が互いに対向して備えられてボルト挿入口４にボルト５をそれぞれ締結してヒンジの役割をするように構成される。
【０００４】
そして、前記シャベル刃部１、１'の上端の後面部に溶接または締結手段によって取り付けられたシャフト３が作業用途に応じて長くまたは短く構成され、シャフト３の端部には、取っ手２、２’がそれぞれ提供される。
【０００５】
したがって、図２、図３、及び図４のように、田や畑の掘土された土砂６の畝間の間で取っ手２、２’を広げた状態で、シャベル刃部１、１’を土砂６に挿入した後、シャベル刃部１、１’の間のスペース部に苗７を挿入し、取っ手２、２’を狭めるようになると、ボルト５を軸にシャベル刃部１、１’が互いに広げられるようになる。
【０００６】
そして、土砂６に挿入された苗移植機を上昇させると、シャベル刃部１、１’内に盛られていた苗７は、土砂に埋設され、苗移植機は、抜け出ていくようになる。
【０００７】
ところで、これらの従来の苗移植機は、作業者が両手を用いて取っ手２、２’を広げなければならず、また、両手で取っ手２、２’を狭めなければならないので、苗７をシャベル刃部１、１’の間に挿入するためには、他の作業者を必要とするか、または取っ手２、２’から手をはなさなければならないので、作業が非常に不便であるとともに、時間が長くかかり、これによる作業効率が低下するという問題点があった。
【０００８】
また、シャベル刃部１、１’を広げて植栽した後、苗移植機を上昇させる場合にシャベル刃部１、１’によって両方の土が外側に遠くに押し出されてしまって、苗７側に崩れないことができないので、苗７がまっすぐに立つことができなくて傾くようになるので、適切な植栽が行われないという問題点があった。
【０００９】
また、苗７は、ビニールに穴があけられていることを便宜上多く使用するようになるが、この時、既存の穴よりも葉が大きい場合、シャベル刃部１、１’を離脱したとき、穴より大きく広げなければなので、ビニールが破れるようになる。
【００１０】
さらに、唐辛子のようにサイズが大きい作物を植栽する場合、サイズよりさらに高くして離脱しなければならないので、力と時間が多くかかる問題点もある。
【発明の概要】
【発明が解決しようとする課題】
【００１１】
本発明は、従来のこのような問題点を解決しようとして、片手で苗移植機を握って、もう一方の手で苗を投入して植栽できるようにすることで、別の作業者を必要としないながらも、早い作業が行われるようにするとともに、植栽時に苗移植機により苗の側部から押し出される土を最小化し、適切な苗の植栽が行われるようにし、傾けて離脱が可能なようにして苗の葉サイズほど広げることなく、また、高く持ち上げなくてもよい苗移植機を提供することにその目的がある。
【課題を解決するための手段】
【００１２】
前記目的を達成するための本発明の苗移植機は、
バー状からなり、上側にそれぞれ取っ手が備えられ、互いにヒンジ結合された第１のロード及び第２のロードと、
前記第１のロッドの下側に位置し、後方部位が閉塞され、下側に行くほど内側に傾斜した第１の側板と、
前記第２のロードの下側に位置し、後方部位が閉塞され、下側に行くほど内側に傾斜して、その後方部位と下端部位が前記第１の側板の下端部位と対向して接する第２の側板と、からなり、
前記第１の側板と第２の側板の前方部位は、開放されるように構成される。
【発明の効果】
【００１３】
このような本発明によると、片手で取っ手を握って、もう一方の手では苗を固定板と開閉部との間に位置させた後、土砂に入れて作動取っ手を操作すると、開閉部が側方向に移動して自然に苗が栽植されることで、一人によって非常に簡便な作業が行われることができるため、作業効率性が非常に優れた長所がある。
【００１４】
また、苗の背が高いか、葉が広い場合、苗が植栽された状態で、本発明を後方に傾けて離脱させると、第１の側板と第２の側板の開放された部位を介して苗が自然に離脱されて植栽されることはもちろん、苗を移植機に挟んで移植するため、不必要なスペースを減らして狭く掘られるので、力を少しだけかけて植栽が可能であり、前面の開放された部位に土が当接しているので、 離脱時、苗を支える効果を持つ。これにより、苗が直立して適切な植栽が可能になる。そして、移植機に苗を含む面積だけを側面に開放するようになって最小限の土が移動するので、広げるときに、自然に力も少なくかかる。
【図面の簡単な説明】
【００１５】
【図１】〜
【図４】従来の栽植機を説明するための図である。
【図５】本発明の第１の実施例による苗移植機の構造を示す図である。
【図６】側板の側面図である。
【図７】本発明の動作を説明するための図である。
【図８】本発明の第２の実施例を示す図である。
【発明を実施するための形態】
【００１６】
本発明の苗移植機を添付の図面を参照して、詳細に説明する。
【００１７】
図５は、本発明の第１の実施例による苗移植機１００の構造を示す図で、バー状の第１のロッド１１０の上側には、前後方向に第１の取っ手１１１が備えられて、下側には、第１の側板１１２が備えられる。
【００１８】
前記第１のロッド１１０は、板材状であることもあり、第１の側板１１２は、前後方向に第１のロッド１１０の下側に位置するが、この時、第１の側板１１２の後方は、閉塞された第１の後方仕切り板１１３を有し、その閉塞された部位は、第１のロッド１１０の下側によって閉塞されることができる。
【００１９】
前記第１の側板１１２は、図６の側面図のように板材状を有し、下側に行くほど内側に傾斜した形状を有するようになる。
【００２０】
また、第１の側板１１２の上側には、第１のロッド１１０から側部に延長された第１のヒンジ１１４が形成されている構造である。
【００２１】
第２のロッド１２０も同様にバー状に形成され、その上側には前後方向に第２の取っ手が形成され、その下側には、第２の側板１２２が備えられるが、前記第２の側板１２２も板材であり、下側に行くほど内側に傾斜した構造を有する。
【００２２】
そして、第２の側板１２２の後方には、閉塞された形状の第２の後方仕切り板が備えられ、第２の側板１２２の上側には、第１のヒンジ１１４と対応した位置で第２のロード１２０上に第２のヒンジ１２４が形成されている構造である。
【００２３】
したがって、ヒンジピン１３０によって第１のヒンジ１１４と第２のヒンジ１２４が互いに結合されるとともに、ヒンジ結合された上側には、第１のロッド１１０と第２のロッド１２０との間にスプリング１４０が設けられて第１のロッド１１０と第２のロッド１２０を弾性支持するようになる。
【００２４】
このようなスプリング１４０によって第１の側板１１２と第２の側板１２２は、窄まって互いに当接されるようになるが、第１の側板１１２の下端と第２の側板１２２の下端が互いに当接されるようになり、また、第１の後方仕切り板１１３と第２の後方仕切り板１２３の対向した側部が互いに当接して第１の側板１１２と第２の側板１２２の底部と後方を閉塞して苗を収容できる空間が形成される。
【００２５】
また、第１の側板１１２と第２の側板１２２の前方部分は、開放された前方開口部１５０を有するようになる。
【００２６】
そして、第２の取っ手１２１は、第１の取っ手１１１がより低い位置に位置することにより、第１の取っ手１１１は、作業者の親指と手のひらの部位が位置し、第２の取っ手１２１は、その他の指の部位が位置して手の疲労度が減少することができる構造を有する。
【００２７】
このような本発明の動作を説明する。
【００２８】
図７(ａ)のように、本発明を立てた状態で、第１の側板１１２と第２の側板１２２の空間部位に植栽する苗１６０を安着させた後、耕作地の土砂に垂直方向に押すか、突き刺して第１の側板１２１と第２の側板１２２によって地Ｇに 窪みが形成されて埋め込まれるようにする。
【００２９】
以後、作業者が第１の取っ手１１１と第２の取っ手１２１を握るようになると、第１の側板１１２と第２の側板１２２が広げて苗１６０と分離されて、図７(ｂ)のように、第１のロッド１１０と第２のロッド１２０を後方に傾けると、前方開口部１５０を介して苗１６０は、所定の位置で固定された状態で、第１の側板１１２と第２の側板１２２が後方に傾けて苗１６０が自然に離脱される。
【００３０】
この傾斜した状態で、本発明を上側に傾斜して上昇させると、土が最小限に広げられて、苗１６０が所定の位置で直立されうる。
【００３１】
すなわち、第１の側板１１２と第２の側板１２２の広げを最小化した状態で、本発明を後方に傾けて苗１６０を離脱させながら、また、本発明を地Ｇから離脱させることで、自然に土が苗１６０を覆うことができ、また、根よりも葉が小さな苗の場合には、傾けずに離脱が可能である。
【００３２】
苗１６０の植栽完了後、第２の取っ手１２１を放すと、スプリング１４０の復元力により、第１の側板１１２と第２の側板１２２が再び窄まるようになる。
【００３３】
図８は、本発明の第２の実施例を示す正面図で、第１の側板１１２と第２の側板１２２の構造は、第１の実施例と同様である。
【００３４】
第１の側板１１２の上側には、ロード１７０が直立して位置し、そのロード１７０の上端には、固定金具１７１が備えられる。
【００３５】
前記固定金具１７１の下側には、上下方向に移動する移動取っ手１７２が備えられるが、前記移動取っ手１７２は、''状に曲げられて、垂直方向の連結バー１７３の部位がロード１７０に固定されたリング状の固定部１７７によってロード１７０の側部から上下方向に移動が可能なように固定される。
【００３６】
第１の側板１１２に備えられたヒンジ１７５は、ロッド１７０の中心軸の付近に位置して第２の側板１２２とヒンジ結合され、前記第２の側板１２２の上部の外側部位にワイヤー１７４の一端が固定され、ワイヤー１７４は、ロッド１７０の側部に位置するリング状の固定部１７８を貫通して他端が前記連結バー１７３の下端に固定される。
【００３７】
さらに、ヒンジ１７５の上側で第１の側板１１２と第２の側板１２２との間にスプリング１７６が設けられる。
【００３８】
したがって、作業者が移動取っ手１７２を引くと、ワイヤー１７４が引かれてヒンジ１７５を中心に、第１の側板１１２から第２の側板１２２が外側に回転して広げられるようになる。
【００３９】
このような第２の実施例の作動状態は、第１の実施例の作動状態と同様であるので、これに対して説明はしない。
【符号の説明】
【００４０】
１１０、１２０        ロード
１１１、１２１        取っ手
１１２、１２２        側板
１１３、１２３        後方仕切り板
１１４、１２４        ヒンジ
１４０                スプリング
１５０                前方開口部
【図１】
0006554562.tif 000002
【図２】
0006554562.tif 000003
【図３】
0006554562.tif 000004
【図４】
0006554562.tif 000005
【図５】
0006554562.tif 000006
【図６】
0006554562.tif 000007
【図７（ａ）】
0006554562.tif 000008
【図７（ｂ）】
0006554562.tif 000009
【図８】
0006554562.tif 000010